(57)【特許請求の範囲】
【請求項１】
受信周波数を割り当てるためのプリセットキーを有する放送受信機器であって、
所定の周波数帯内において、可変自在に任意の周波数の放送電波を受信する受信手段と、
複数の放送局の受信周波数を予め記憶する第１の記憶手段と、
所定の放送局の受信周波数を記憶するための第２の記憶手段と、
前記第１の記憶手段に記憶された各受信周波数に応じて、前記受信手段により受信され得る各放送局の放送電波が受信可能であるか否かを判別する判別手段と、
前記判別手段により全ての放送局の放送電波が受信可能でないと判別された場合に、前記受信手段を制御して現在受信可能となる放送局の受信周波数を特定し、特定した受信周波数を前記第２の記憶手段に記憶させ、前記判別手段により何れかの放送局の放送電波が受信可能であると判別された場合に、前記第１の記憶手段に記憶された受信周波数を所定の順番に並び換えて再記憶させる制御手段と、
前記制御手段により、前記第２の記憶手段に受信周波数が記憶された場合に、前記第２の記憶手段に記憶された受信周波数を対象のプリセットキーに割り当て、前記第１の記憶手段に受信周波数が記憶された場合に、前記第１の記憶手段に記憶された受信周波数を対象のプリセットキーに割り当てる割当手段と、
を備えることを特徴とする放送受信機器。
【請求項２】
受信周波数を割り当てるためのプリセットキーを有する放送受信機器であって、
所定の周波数帯内において、可変自在に任意の周波数の放送電波を受信する受信手段と、
複数の放送局の受信周波数を予め記憶する第１の領域及び、所定の放送局の受信周波数を記憶するための第２の領域を有する記憶手段と、
前記記憶手段に記憶された第１の領域の各受信周波数に応じて、前記受信手段により受信される各放送局の放送電波の受信レベルを検出する検出手段と、
前記検出手段により検出された各受信レベルが所定の基準値より小さいか否かを判別する判別手段と、
前記判別手段により全ての放送局の放送電波が基準値より小さいと判別された場合に、前記受信手段を制御して基準値以上の受信レベルとなる放送局の受信周波数を特定し、特定した受信周波数を受信レベルに応じた順番に並べて第２の領域に記憶させ、前記判別手段により何れかの放送局の放送電波が基準値以上であると判別された場合に、第１の領域に記憶された受信周波数を受信レベルに応じた順番に並び換えて再記憶させる制御手段と、
前記制御手段により、第２の領域に受信周波数が記憶された場合に、第２の領域に記憶された受信周波数を対象のプリセットキーに割り当て、第１の領域に受信周波数が記憶された場合に、第１の領域に記憶された受信周波数を対象のプリセットキーに割り当てる割当手段と、
を備えることを特徴とする放送受信機器。
【請求項３】
受信周波数を割り当てるためのプリセットキーを有する放送受信機器であって、
所定の周波数帯内において、可変自在に任意の周波数の放送電波を受信する受信手段と、
近隣エリアにおける複数の放送局の受信周波数を予め記憶する第１の記憶手段と、
遠方エリアにおける所定の放送局の受信周波数を記憶するための第２の記憶手段と、
前記第１の記憶手段に記憶された各受信周波数に応じて、前記受信手段により受信され得る近隣エリアの放送局の放送電波が受信可能であるか否かを判別する判別手段と、
前記判別手段により近隣エリアの全ての放送局の放送電波が受信可能でないと判別された場合に、前記受信手段を制御して現在受信可能となる放送局の受信周波数を特定し、特定した受信周波数を前記第２の記憶手段に遠方エリアの放送局の受信周波数として記憶させ、前記判別手段により近隣エリアの何れかの放送局の放送電波が受信可能であると判別された場合に、前記第１の記憶手段に記憶された近隣エリアの放送局の受信周波数を所定の順番に並び換えて再記憶させる制御手段と、
前記制御手段により、前記第２の記憶手段に受信周波数が記憶された場合に、前記第２の記憶手段に記憶された遠方エリアの放送局の受信周波数を対象のプリセットキーに割り当て、前記第１の記憶手段に受信周波数が記憶された場合に、前記第１の記憶手段に記憶された近隣エリアの放送局の受信周波数を対象のプリセットキーに割り当てる割当手段と、
を備えることを特徴とする放送受信機器。
【請求項４】
受信周波数を割り当てるためのプリセットキーを有する放送受信機器におけるプリセット方法であって、
所定の周波数帯内において、可変自在に任意の周波数の放送電波を受信する受信ステップと、
所定の第１の記憶部に予め記憶された複数の放送局の受信周波数に応じて、前記受信ステップにて受信され得る各放送局の放送電波が受信可能であるか否かを判別する判別ステップと、
前記判別ステップにて全ての放送局の放送電波が受信可能でないと判別された場合に、前記受信ステップにて現在受信可能となる放送局の受信周波数を特定し、特定した受信周波数を所定の第２の記憶部に格納し、前記判別ステップにて何れかの放送局の放送電波が受信可能であると判別された場合に、第１の記憶部に記憶された受信周波数を所定の順番に並び換えて再格納する制御ステップと、
前記制御ステップにて、第２の記憶部に受信周波数が格納された場合に、第２の記憶部に格納された受信周波数を対象のプリセットキーに割り当て、第１の記憶部に受信周波数が格納された場合に、第１の記憶部に記憶された受信周波数を対象のプリセットキーに割り当てる割当ステップと、
を備えることを特徴とするプリセット方法。
【発明の詳細な説明】
【０００１】
【発明の属する技術分野】
この発明は、車両等に搭載されて使用されるプリセットキーを有する放送受信機器に関し、特に、受信地域に応じて、所望の放送局（周波数）をプリセットキーに適切に割り当てることのできる放送受信機器及びプリセット方法に関する。
【０００２】
【従来の技術】
従来より、ＡＭ／ＦＭチューナ等の放送受信機器が車両等に搭載されて使用されている。一般に、このような放送受信機器には、利用者が好みの放送局（周波数）を任意に割り当てることのできるプリセットキーが複数配置されている。
具体的に放送受信機器は、オートメモリ機能を有し、各プリセットキーにそれぞれ受信可能な放送局（周波数）を自動的に割り当てることができる。
また、放送受信機器は、マニュアルメモリ機能も有し、利用者の操作により、任意の放送局（周波数）をプリセットキーに割り当てることができる。
【０００３】
利用者は、これらオートメモリ機能及びマニュアルメモリ機能を活用して、放送受信機器の各プリセットキーに、所望の放送局（周波数）を割り当てて使用する。
例えば自宅車庫（所在地域）にて、利用者は、放送受信機器のオートメモリ機能により、受信可能な放送局（周波数）をプリセットキーに自動的に割り当てる。そして、受信電波の電界強度が比較的小さいために、オートメモリ機能にて自動的に割り当てられなかった好みの放送局（周波数）を、マニュアルメモリ機能により、プリセットキーに手動で割り当てる。
【０００４】
このようにして、放送受信機器の各プリセットキーに放送局（周波数）が割り当てられた後に、利用者は、対象のプリセットキーを押下するだけで、好みの放送局の放送番組等を放送受信機器にて受信することができる。
【０００５】
【発明が解決しようとする課題】
しかしながら、上述した従来の放送受信機器において、プリセット後に再度オートメモリ機能を使用すると、マニュアルメモリ機能によって所定のプリセットキーに割り当てた放送局（周波数）が消されてしまうという問題があった。
【０００６】
例えば、利用者の居住地域において、オートメモリ機能及びマニュアルメモリ機能により、各プリセットキーに所望の放送局（周波数）を割り当てられている状態で、利用者が、放送受信機器を搭載した車両を運転して遠方エリアに移動したとする。そして、利用者が、移動先でオートメモリ機能を使用すると、各プリセットキーにそのエリアで受信可能な新たな放送局（周波数）が割り当てられ、移動前に割り当てられていた放送局（周波数）が消されてしまう。
その後、利用者が、移動先から居住地域に戻り、再度オートメモリ機能を使用しても、受信電波の電界強度が比較的小さい放送局（周波数）は、プリセットキーに割り当てられないことになる。そのため、利用者は、割り当てられなかった好みの放送局（周波数）を、再度マニュアルメモリ機能により、所定のプリセットキーに手動で割り当てる必要があった。
【０００７】
この発明は、上記実状に鑑みてなされたもので、受信地域に応じて、所望の放送局（周波数）をプリセットキーに適切に割り当てることのできる放送受信機器及びプリセット方法を提供することを目的とする。
【０００８】
【課題を解決するための手段】
上記目的を達成するため、本発明の第１の観点に係る放送受信機器は、
受信周波数を割り当てるためのプリセットキーを有する放送受信機器であって、
所定の周波数帯内において、可変自在に任意の周波数の放送電波を受信する受信手段と、
複数の放送局の受信周波数を予め記憶する第１の記憶手段と、
所定の放送局の受信周波数を記憶するための第２の記憶手段と、
前記第１の記憶手段に記憶された各受信周波数に応じて、前記受信手段により受信され得る各放送局の放送電波が受信可能であるか否かを判別する判別手段と、
前記判別手段により全ての放送局の放送電波が受信可能でないと判別された場合に、前記受信手段を制御して現在受信可能となる放送局の受信周波数を特定し、特定した受信周波数を前記第２の記憶手段に記憶させ、前記判別手段により何れかの放送局の放送電波が受信可能であると判別された場合に、前記第１の記憶手段に記憶された受信周波数を所定の順番に並び換えて再記憶させる制御手段と、
前記制御手段により、前記第２の記憶手段に受信周波数が記憶された場合に、前記第２の記憶手段に記憶された受信周波数を対象のプリセットキーに割り当て、前記第１の記憶手段に受信周波数が記憶された場合に、前記第１の記憶手段に記憶された受信周波数を対象のプリセットキーに割り当てる割当手段と、
を備えることを特徴とする。
【０００９】
この発明によれば、受信手段は、例えば、ＦＭ放送の周波数帯内において、可変自在に任意の周波数の放送電波を受信する。第１の記憶手段は、例えば、利用者により登録された複数の放送局の受信周波数を予め記憶する。第２の記憶手段は、所定の放送局の受信周波数を記憶する。判別手段は、第１の記憶手段に記憶された各受信周波数に応じて、受信手段により受信され得る各放送局の放送電波が受信可能であるか否かを判別する。制御手段は、判別手段により、全ての放送局の放送電波が受信可能でない（現在の受信エリアが遠方エリアである）と判別された場合に、受信手段を制御して現在受信可能となる放送局の受信周波数を特定し、特定した受信周波数を第２の記憶手段に記憶させ、一方、何れかの放送局の放送電波が受信可能である（現在の受信エリアが近隣エリアである）と判別された場合に、第１の記憶手段に記憶された受信周波数を例えば、受信レベルの高い順に並び換えて再記憶させる。割当手段は、制御手段により、第２の記憶手段に受信周波数が記憶された場合に、第２の記憶手段に記憶された受信周波数を対象のプリセットキーに割り当て、一方、第１の記憶手段に受信周波数が記憶された場合に、第１の記憶手段に記憶された受信周波数を対象のプリセットキーに割り当てる。このように、近郊エリア及び遠方エリア毎に受信周波数が分けられて記憶手段に記憶されるため、互いのエリアの受信周波数が消されることがなくなる。この結果、受信地域に応じて、所望の放送局（周波数）をプリセットキーに適切に割り当てることができる。
【００１０】
上記目的を達成するため、本発明の第２の観点に係る放送受信機器は、
受信周波数を割り当てるためのプリセットキーを有する放送受信機器であって、
所定の周波数帯内において、可変自在に任意の周波数の放送電波を受信する受信手段と、
複数の放送局の受信周波数を予め記憶する第１の領域及び、所定の放送局の受信周波数を記憶するための第２の領域を有する記憶手段と、
前記記憶手段に記憶された第１の領域の各受信周波数に応じて、前記受信手段により受信される各放送局の放送電波の受信レベルを検出する検出手段と、
前記検出手段により検出された各受信レベルが所定の基準値より小さいか否かを判別する判別手段と、
前記判別手段により全ての放送局の放送電波が基準値より小さいと判別された場合に、前記受信手段を制御して基準値以上の受信レベルとなる放送局の受信周波数を特定し、特定した受信周波数を受信レベルに応じた順番に並べて第２の領域に記憶させ、前記判別手段により何れかの放送局の放送電波が基準値以上であると判別された場合に、第１の領域に記憶された受信周波数を受信レベルに応じた順番に並び換えて再記憶させる制御手段と、
前記制御手段により、第２の領域に受信周波数が記憶された場合に、第２の領域に記憶された受信周波数を対象のプリセットキーに割り当て、第１の領域に受信周波数が記憶された場合に、第１の領域に記憶された受信周波数を対象のプリセットキーに割り当てる割当手段と、
を備えることを特徴とする。
【００１１】
この発明によれば、受信手段は、例えば、ＦＭ放送の周波数帯内において、可変自在に任意の周波数の放送電波を受信する。記憶手段は、例えば、利用者により登録された複数の放送局の受信周波数を予め記憶する第１の領域及び、所定の放送局の受信周波数を記憶するための第２の領域を有する。検出手段は、記憶手段に記憶された第１の領域の各受信周波数に応じて、受信手段により受信される各放送局の放送電波の受信レベル（例えば、電界強度等）を検出する。判別手段は、検出手段により検出された各受信レベルが所定の基準値より小さいか否かを判別する。制御手段は、判別手段により、全ての放送局の放送電波が基準値より小さいと判別された（現在の受信エリアが遠方エリアである）場合に、受信手段を制御して基準値以上の受信レベルとなる放送局の受信周波数を特定し、特定した受信周波数を受信レベルに応じた順番に並べて第２の領域に記憶させ、一方、何れかの放送局の放送電波が基準値以上であると判別された（現在の受信エリアが近隣エリアである）場合に、第１の領域に記憶された受信周波数を受信レベルに応じた順番に並び換えて再記憶させる。割当手段は、制御手段により、第２の領域に受信周波数が記憶された場合に、第２の領域に記憶された受信周波数を対象のプリセットキーに割り当て、第１の領域に受信周波数が記憶された場合に、第１の領域に記憶された受信周波数を対象のプリセットキーに割り当てる。このように、近郊エリア及び遠方エリア毎に受信周波数が分けられて記憶手段に記憶されるため、互いのエリアの受信周波数が消されることがなくなる。この結果、受信地域に応じて、所望の放送局（周波数）をプリセットキーに適切に割り当てることができる。
【００１２】
上記目的を達成するため、本発明の第３の観点に係る放送受信機器は、
受信周波数を割り当てるためのプリセットキーを有する放送受信機器であって、
所定の周波数帯内において、可変自在に任意の周波数の放送電波を受信する受信手段と、
近隣エリアにおける複数の放送局の受信周波数を予め記憶する第１の記憶手段と、
遠方エリアにおける所定の放送局の受信周波数を記憶するための第２の記憶手段と、
前記第１の記憶手段に記憶された各受信周波数に応じて、前記受信手段により受信され得る近隣エリアの放送局の放送電波が受信可能であるか否かを判別する判別手段と、
前記判別手段により近隣エリアの全ての放送局の放送電波が受信可能でないと判別された場合に、前記受信手段を制御して現在受信可能となる放送局の受信周波数を特定し、特定した受信周波数を前記第２の記憶手段に遠方エリアの放送局の受信周波数として記憶させ、前記判別手段により近隣エリアの何れかの放送局の放送電波が受信可能であると判別された場合に、前記第１の記憶手段に記憶された近隣エリアの放送局の受信周波数を所定の順番に並び換えて再記憶させる制御手段と、
前記制御手段により、前記第２の記憶手段に受信周波数が記憶された場合に、前記第２の記憶手段に記憶された遠方エリアの放送局の受信周波数を対象のプリセットキーに割り当て、前記第１の記憶手段に受信周波数が記憶された場合に、前記第１の記憶手段に記憶された近隣エリアの放送局の受信周波数を対象のプリセットキーに割り当てる割当手段と、
を備えることを特徴とする。
【００１３】
この発明によれば、受信手段は、例えば、ＦＭ放送の周波数帯内において、可変自在に任意の周波数の放送電波を受信する。第１の記憶手段は、例えば、利用者により登録された近隣エリアの複数の放送局の受信周波数を予め記憶する。第２の記憶手段は、遠方エリアの所定の放送局の受信周波数を記憶する。判別手段は、第１の記憶手段に記憶された各受信周波数に応じて、受信手段により受信され得る近隣エリアの放送局の放送電波が受信可能であるか否かを判別する。制御手段は、判別手段により、近隣エリアの全ての放送局の放送電波が受信可能でないと判別された場合に、受信手段を制御して現在受信可能となる放送局の受信周波数を特定し、特定した受信周波数を遠方エリアの放送局の受信周波数として第２の記憶手段に記憶させ、一方、近隣エリアの何れかの放送局の放送電波が受信可能であると判別された場合に、第１の記憶手段に記憶された近隣エリアの放送局の受信周波数を例えば、受信レベルの高い順に並び換えて再記憶させる。割当手段は、制御手段により、第２の記憶手段に受信周波数が記憶された場合に、第２の記憶手段に記憶された遠方エリアの放送局の受信周波数を対象のプリセットキーに割り当て、一方、第１の記憶手段に受信周波数が記憶された場合に、第１の記憶手段に記憶された近隣エリアの放送局の受信周波数を対象のプリセットキーに割り当てる。このように、近郊エリア及び遠方エリア毎に受信周波数が分けられて記憶手段に記憶されるため、互いのエリアの受信周波数が消されることがなくなる。この結果、受信地域に応じて、所望の放送局（周波数）をプリセットキーに適切に割り当てることができる。
【００１４】
上記目的を達成するため、本発明の第４の観点に係るプリセット方法は、
受信周波数を割り当てるためのプリセットキーを有する放送受信機器におけるプリセット方法であって、
所定の周波数帯内において、可変自在に任意の周波数の放送電波を受信する受信ステップと、
所定の第１の記憶部に予め記憶された複数の放送局の受信周波数に応じて、前記受信ステップにて受信され得る各放送局の放送電波が受信可能であるか否かを判別する判別ステップと、
前記判別ステップにて全ての放送局の放送電波が受信可能でないと判別された場合に、前記受信ステップにて現在受信可能となる放送局の受信周波数を特定し、特定した受信周波数を所定の第２の記憶部に格納し、前記判別ステップにて何れかの放送局の放送電波が受信可能であると判別された場合に、第１の記憶部に記憶された受信周波数を所定の順番に並び換えて再格納する制御ステップと、
前記制御ステップにて、第２の記憶部に受信周波数が格納された場合に、第２の記憶部に格納された受信周波数を対象のプリセットキーに割り当て、第１の記憶部に受信周波数が格納された場合に、第１の記憶部に記憶された受信周波数を対象のプリセットキーに割り当てる割当ステップと、
を備えることを特徴とする。
【００１５】
この発明によれば、受信ステップは、例えば、ＦＭ放送の周波数帯内において、可変自在に任意の周波数の放送電波を受信する。判別ステップは、第１の記憶部に予め記憶された複数の放送局の受信周波数に応じて、受信ステップにて受信され得る各放送局の放送電波が受信可能であるか否かを判別する。制御ステップは、判別ステップにて、全ての放送局の放送電波が受信可能でない（現在の受信エリアが遠方エリアである）と判別された場合に、受信ステップにて現在受信可能となる放送局の受信周波数を特定し、特定した受信周波数を所定の第２の記憶部に格納し、一方、何れかの放送局の放送電波が受信可能である（現在の受信エリアが近隣エリアである）と判別された場合に、第１の記憶部に記憶された受信周波数を例えば、受信レベルの高い順に並び換えて再格納する。割当ステップは、制御ステップにて、第２の記憶部に受信周波数が格納された場合に、第２の記憶部に格納された受信周波数を対象のプリセットキーに割り当て、一方、第１の記憶部に受信周波数が格納された場合に、第１の記憶部に記憶された受信周波数を対象のプリセットキーに割り当てる。このように、近郊エリア及び遠方エリア毎に受信周波数が分けられて記憶手段に記憶されるため、互いのエリアの受信周波数が消されることがなくなる。この結果、受信地域に応じて、所望の放送局（周波数）をプリセットキーに適切に割り当てることができる。
【００１６】
【発明の実施の形態】
本発明の実施の形態にかかる放送受信機器について、以下図面を参照して説明する。
【００１７】
図１は、この発明の実施の形態に適用されるラジオ放送を受信する放送受信機器の構成の一例を示すブロック図である。図示するように、放送受信機器は、受信アンテナ１と、Ｆ／Ｅ２と、ＩＦ３と、ＡＦアンプ４と、スピーカ５と、ＰＬＬ６と、Ｓメータ検出部７と、制御部８と、操作部９と、メモリ１０と、を含んで構成される。
なお、図１に示す放送受信機器は、車両等に搭載されて使用される車載用機器であるものとする。
【００１８】
受信アンテナ１は、例えば、ＦＭ放送の電波を受信するアンテナであり、受信した電波を受信信号としてＦ／Ｅ２に供給する。
Ｆ／Ｅ（フロントエンド）２は、受信アンテナ１により供給された受信信号から、ＰＬＬ６により供給される信号に基づいて、所望の受信周波数の信号を選択増幅する。Ｆ／Ｅ２は、選択増幅した信号をＩＦ３に供給する。
【００１９】
ＩＦ３は、Ｆ／Ｅ２により選択増幅された信号を所定の電圧制御発振器の発振出力に基づいて中間周波数（ＩＦ）に変換する。ＩＦ３は、変換した信号をＡＦアンプ４及びＳメータ検出部７にそれぞれ供給する。
ＡＦ（低周波）アンプ４は、ＩＦ３により中間周波数に変換された信号を適宜増幅してスピーカ５に供給する。
スピーカ５は、ＡＦアンプ４から供給された信号に従って、放送内容である音声等を出力する。
【００２０】
ＰＬＬ（フェーズロックドループ）６は、制御部８から供給される基準周波数信号等に従って、Ｆ／Ｅ２にて所望の受信周波数の信号を選択増幅させる。
Ｓメータ検出部７は、ＩＦ３により中間周波数に変換された信号の電界強度を検出し、検出結果（電界強度や受信レベルを示す情報）を制御部８に供給する。
【００２１】
制御部８は、ＣＰＵ（Central Processing Unit）、ＲＯＭ（Read Only Memory）及びＲＡＭ（Random Access Memory）等を含んで構成される１チップマイコン等からなり、放送受信機器全体を制御する。
具体的に制御部８は、ＰＬＬ６に所定の基準周波数信号等を供給し、Ｆ／Ｅ２にて所望の受信周波数の信号を選択増幅させる。そして、Ｆ／Ｅ２にて選択増幅された信号は、ＩＦ３及びＡＦアンプ４を介してスピーカ５に供給され、音声等として出力される。すなわち、制御部８は、ＰＬＬ６を制御して、所望の放送局の周波数に同調させ、放送番組等を受信する。
また、制御部８は、後述するプリセット処理を行い、放送受信機器を搭載した車両等の移動に伴い、受信地域に適合した放送局（周波数）を操作部９のプリセットキーに割り当てる。
【００２２】
操作部９は、放送受信機器の正面等に配置された複数の操作キー等からなり、各操作キー等が利用者に押下されると、対応する指示情報を制御部８に供給する。具体的に操作部９には、少なくとも３つの受信バンド（ＦＭ１〜ＦＭ３）を切り換えるバンド切換キー、及び、６つのプリセットキー（ＣＨ１〜ＣＨ６）が含まれている。
【００２３】
メモリ１０は、不揮発性のＲＡＭ等からなり、図２に示すようなプリセットテーブル１０Ｔ等を記憶する。
このプリセットテーブル１０Ｔは、操作部９のバンド切換キーにより切り換え得る３つの受信バンド（ＦＭ１〜ＦＭ３）毎に、操作部９のプリセットキー（ＣＨ１〜ＣＨ６）にそれぞれ割り当てる放送局の周波数を規定するテーブルである。なお、説明を容易にするために、図中のプリセットテーブル１０Ｔには、放送局（Ａ局〜Ｊ局等）を示しているが、実際には、各放送局の周波数等を示す情報がセットされる。
なお、プリセットテーブル１０ＴにおけるＦＭ１及びＦＭ２は、利用者により登録された放送局（周波数）が初期セットされ、ＦＭ３は、後述するプリセット処理にて、オートスキャンされた放送局（周波数）がセットされる。
【００２４】
以下、この発明の実施の形態に係る放送受信機器において実行される受信地域に適合した放送局（周波数）を操作部９のプリセットキーに割り当てるプリセット動作について、図３を参照して説明する。
図３は、制御部８が実行するプリセット処理を説明するためのフローチャートである。このプリセット処理は、図２に示すプリセットテーブル１０Ｔに各放送局（周波数）の情報が初期セットされた後に、操作部９を介した利用者の指示により開始される。
【００２５】
まず、制御部８は、プリセットテーブル１０ＴのＦＭ１及びＦＭ２に設定されている全局（全放送局の周波数）の電界強度をそれぞれ検出する（ステップＳ１）。すなわち、制御部８は、ＦＭ１及びＦＭ２の受信バンドにセットされている各プリセットキー（ＣＨ１〜ＣＨ６）に対応する放送局の周波数を取得し、取得した周波数に対応する基準周波数信号等をＰＬＬ６に供給する。そして、Ｆ／Ｅ２にて選択増幅され、ＩＦ３にて中間周波数に変換された信号の電界強度をＳメータ検出部７にてそれぞれ検出する。
【００２６】
制御部８は、全局の電界強度が基準値以下であるか否かを判別する（ステップＳ２）。すなわち、放送受信機器を搭載した車両等が、ＦＭ１及びＦＭ２の受信バンドに設定されている全ての放送局を良好に受信できない地域に位置しているか（遠方エリアに移動しているか）否かを判別する。
【００２７】
制御部８は、全局の電界強度が基準値以下でない（何れかの局の電界強度が基準値より大きい）と判別した場合、現在の各局（周波数）を電界強度の大きい順に並び換え、プリセットテーブル１０ＴのＦＭ１及びＦＭ２に設定する（ステップＳ３）。すなわち、制御部８は、現在の受信エリアが近郊エリアであると判別し、初期設定されているＦＭ１及びＦＭ２における各局（各周波数）を並び換えて、ＦＭ１及びＦＭ２に再セットする。
これにより、操作部９のプリセットキーは、変更後のプリセットテーブル１０ＴのＦＭ１及びＦＭ２に対応して割り当てられる。
【００２８】
一方、ステップＳ２にて、全局の電界強度が基準値以下であると判別した場合に、制御部８は、所定周波数帯内でオートスキャンを行い、基準値以上の電界強度の局（周波数）を特定する（ステップＳ４）。すなわち、制御部８は、現在の受信エリアが遠方エリアであると判別し、現在のエリアにて適切に受信し得る放送局を特定する。
【００２９】
制御部８は、特定した各局（各周波数）を電界強度の大きい順に並べ、プリセットテーブル１０ＴのＦＭ３に設定する（ステップＳ５）。すなわち、制御部８は、ＦＭ１及びＦＭ２の各局（各周波数）を消さないように、現在のエリアにて適切に受信し得る各局（各周波数）をＦＭ３にセットする。
これにより、操作部９のプリセットキーは、セット後のプリセットテーブル１０ＴのＦＭ３に対応して割り当てられる。
【００３０】
以下、上述のプリセット処理について図４を参照して具体的に説明する。なお、放送受信機器は、東京都内に在住の利用者の車両に搭載されており、そして、プリセットテーブル１０Ｔには、図４（ａ）に示すようにＡ局〜Ｊ局からなる放送局（周波数）が、ＦＭ１及びＦＭ２に初期セットされているものとする。
【００３１】
まず、利用者が車両を運転して、近郊エリアである横浜市内（神奈川県）に移動した場合について説明する。利用者は、横浜市内に移動すると、操作部９を操作して、放送受信機器（制御部８）に上述の図３に示すプリセット処理の実行を指示する。
プリセット処理の実行を開始した制御部８は、図４（ａ）に示すＦＭ１及びＦＭ２の受信バンドに設定されているＡ局〜Ｊ局（周波数）の電界強度をそれぞれ検出する（ステップＳ１）。
近郊エリアである横浜市内において、初期セットされているＡ局〜Ｊ局の一部が依然として放送エリア圏内となるため、制御部８は、全局の電界強度が基準値以下でないと判別する（ステップＳ２）。
【００３２】
そして、制御部８は、Ａ局〜Ｊ局の各局（周波数）を電界強度の大きい順に並び換え、プリセットテーブル１０ＴのＦＭ１及びＦＭ２に設定する（ステップＳ３）。この場合、横浜市内を主な放送エリアとするＢ局等の電界強度が大きくなり、図４（ｂ）に示すように、Ｂ局〜Ｊ局の順に並び換えられてＦＭ１及びＦＭ２の受信バンドに設定される。
これにより、操作部９のプリセットキーは、Ｂ局〜Ｊ局の順に並び換えられたプリセットテーブル１０ＴのＦＭ１及びＦＭ２に対応して割り当てられる。
【００３３】
次に、利用者が車両を運転して、遠方エリアである大阪府内に移動した場合について説明する。利用者は、大阪府内に移動すると、同様に操作部９を操作して、放送受信機器（制御部８）にプリセット処理の実行を指示する。
プリセット処理の実行を開始した制御部８は、図４（ａ）に示すＦＭ１及びＦＭ２の受信バンドに設定されているＡ局〜Ｊ局（周波数）の電界強度をそれぞれ検出する（ステップＳ１）。
遠方エリアとなる大阪府内において、初期セットされているＡ局〜Ｊ局の全てが放送エリア圏外となるため、制御部８は、全局の電界強度が基準値以下であると判別する（ステップＳ２）。
【００３４】
そして、制御部８は、所定周波数帯内でオートスキャンを行い、大阪府内において受信可能となる基準値以上の電界強度の局（周波数）を特定する（ステップＳ４）。
制御部８は、図４（ｃ）に示すように、特定したａ局〜ｆ局（周波数）を電界強度の大きい順に並べ、プリセットテーブル１０ＴのＦＭ３に設定する（ステップＳ５）。
これにより、操作部９のプリセットキーは、ａ局〜ｆ局の順に並び換えられたプリセットテーブル１０ＴのＦＭ３に対応して割り当てられる。
【００３５】
このように、近郊エリア及び遠方エリア毎に受信周波数が分けられてメモリ（プリセットテーブル１０Ｔ）に記憶されるため、互いのエリアの受信周波数が消されることがなくなる。この結果、受信地域に応じて、所望の放送局（周波数）をプリセットキーに適切に割り当てることができる。
【００３６】
上記の実施の形態では、３つの受信バンド（ＦＭ１〜ＦＭ３）を切り換え可能とし、プリセットテーブル１０Ｔにて、ＦＭ１及びＦＭ２を近郊エリア用とし、またＦＭ３を遠方エリア用として、各局（各周波数）を分けてセットできるようにしたが、受信バンドの分け方は、任意である。
例えば、プリセットテーブル１０Ｔにて、ＦＭ１を近郊エリア用とし、またＦＭ２及びＦＭ３を遠方エリア用として、各局（各周波数）を分けてセットしてもよい。
また、受信バンド数も３つに限られず、２つ以上であれば任意である。
【００３７】
また、上記の実施の形態では、ＦＭ放送を受信する放送受信機器を一例として説明したが、他にＡＭ放送や短波放送等を受信する放送受信機器であってもよい。
【００３８】
【発明の効果】
以上説明したように、本発明によれば、受信地域に応じて、所望の放送局（周波数）をプリセットキーに適切に割り当てることができる。
【図面の簡単な説明】
【図１】本発明の実施の形態に係る放送受信機器の構成の一例を示すブロック図である。
【図２】メモリに記憶されるプリセットテーブルの一例を示す模式図である。
【図３】本発明の実施の形態に係るプリセット処理を説明するためのフローチャートである。
【図４】（ａ），（ｂ），（ｃ）共に、プリセット処理により具体的にセットされる放送局（周波数）を説明するための模式図である。
【符号の説明】
１    受信アンテナ
２    Ｆ／Ｅ
３    ＩＦ
４    ＡＦアンプ
５    スピーカ
６    ＰＬＬ
７    Ｓメータ検出部
８    制御部
９    操作部
１０  メモリ
【図１】
0003789305.tif 000002
【図２】
0003789305.tif 000003
【図３】
0003789305.tif 000004
【図４】
0003789305.tif 000005